(57)【要約】【課題】断路器操作部と接地開閉器操作部の２つのシャッターの機能を一つに集約して部品点数を削減すると共に、シャッターの操作箇所も１ヶ所に集約し、操作性を向上せた三位置開閉器操作機構を得る。【解決手段】本体に保持された回転軸４、及び、断路器操作部９と接地開閉器操作部１０の両方を覆うような形状を有するシャッター板１１と、上記シャッター板に形成され上記回転軸に固定された取付部２とを有するシャッター１を備え、上記断路器操作部を露出させるときは、上記回転軸を一方向に回転操作して上記シャッターを一方向に回転させ、上記接地開閉器操作部を露出させるときは、上記回転軸を他方向に回転操作して上記シャッターを他方向に回転させるように構成した。【選択図】図１
2006228673.tif 000002
【特許請求の範囲】
【請求項１】
本体に保持された回転軸、及び、
断路器操作部と接地開閉器操作部の両方を覆うような形状を有するシャッター板と、上記シャッター板に形成され上記回転軸に固定された取付部とを有するシャッターを備え、
上記断路器操作部を露出させるときは、上記回転軸を一方向に回転操作して上記シャッターを一方向に回転させ、上記接地開閉器操作部を露出させるときは、上記回転軸を他方向に回転操作して上記シャッターを他方向に回転させるように構成したことを特徴とする三位置開閉器操作機構。
【請求項２】
上記回転軸は、カムスイッチの回転軸であり、上記回転軸と共に非磁性の上記シャッターを回転させることに伴なって、上記カムスイッチの接点が動作するように構成した請求項１記載の三位置開閉器操作機構。
【請求項３】
上記カムスイッチの回転軸は矩形回転軸であり、
上記矩形回転軸に挿入する溝を有する駆動棒と、その駆動棒を回転させる操作棒とを有するシャッター操作ハンドルを備え、上記シャッター操作ハンドルで上記矩形回転軸を回転させるようにしたことを特徴とする請求項２記載の三位置開閉器操作機構。
【請求項４】
操作腕と、上記操作腕と垂直となる取付部と、上記操作腕と上記取付部に対してともに垂直となる押え部とを有するシャッター操作ハンドルを備え、上記シャッター操作ハンドルの上記取付部を上記カムスイッチの回転軸に上記シャッターと共に取り付けるようにしたことを特徴とする請求項２記載の三位置開閉器操作機構。
【請求項５】
本体に断路器用および接地開閉器用インターロックコイルを設け、上記カムスイッチの接点の動作で上記断路器用および接地開閉器用インターロックコイルを付消勢するようにした請求項２記載の三位置開閉器操作機構。
【請求項６】
本体に断路器用および接地開閉器用インターロックコイルとそれぞれのプランジャーを備え、上記シャッターには、上記断路器用および接地開閉器用インターロックコイルのプランジャーと係合する凸部であるプランジャー係合部を設けたことを特徴とする請求項１又は請求項５記載の三位置開閉器操作機構。
【請求項７】
上記シャッターと、上記カムスイッチと、上記断路器用インターロックコイルおよび上記接地開閉器用インターロックコイルを一つの固定板に取付たことを特徴とする請求項５記載の三位置開閉器操作機構。
【請求項８】
上記シャッターは、主シャッターに補助シャッターが取り付けられ、上記シャッターの覆う面積を拡大するように上記補助シャッターがばねで押圧されて上記主シャッターから張り出しており、上記シャッターが回転するときに、上記補助シャッターが上記ばねに抗して本体に押されて引き込み、上記シャッターの覆う面積を縮小するように構成した請求項１記載の三位置開閉器操作機構。
【請求項９】
上記主シャッターに上記補助シャッターがピンで回転し得るように取り付け保持され、上記主シャッターと上記補助シャッター間に設けた回転規制ガイドとばねにより、
上記シャッターの覆う面積を拡大するように上記補助シャッターが上記回転規制ガイドに案内され上記ばねで押圧されて上記主シャッターから張り出しており、上記シャッターが回転するときに、上記補助シャッターが上記回転規制ガイドに案内され上記ばねに抗して本体に押されて引き込み、上記シャッターの覆う面積を縮小するように構成した請求項８記載の三位置開閉器操作機構。
【請求項１０】
上記シャッターを覆うフェースプレートを備え、
上記フェースプレートには、上記断路器操作部を露出させるために、上記回転軸を一方向に回転操作して上記シャッターを一方向に回転させて、上記シャッターが開き終わったときに上記断路器操作部を操作し得る操作口を設け、上記接地開閉器操作部を露出させるために、上記回転軸を他方向に回転操作して上記シャッターを他方向に回転させて、上記シャッターが開き終わったときに上記接地開閉器操作部を操作し得る操作口を設けたことを特徴とする請求項１記載の三位置開閉器操作機構。
【請求項１１】
上記シャッターには、これと係合する機械的インターロックを設け、
上記機械的インターロックは、断路器入位置では上記シャッターが上記接地開閉器操作部を開かなく、接地開閉器入位置では上記シャッターが上記断路器操作部を開かないように構成したことを特徴とする請求項１記載の三位置開閉器操作機構。
【請求項１２】
上記機械的インターロックは、断路器及び接地開閉器の開閉操作で回転する三位置開閉器の主軸と連結され、断路器入位置では上記機械的インターロックが上記シャッターの上記他方向回転を阻止して上記接地開閉器操作部を開かなく、接地開閉器入位置では上記機械的インターロックが上記シャッターの上記一方向回転を阻止して上記断路器操作部を開かないように構成したことを特徴とする請求項１１記載の三位置開閉器操作機構。
【請求項１３】
上記機械的インターロックは、断路器及び接地開閉器の開閉操作で回転する三位置開閉器の主軸と補助スイッチに連結され、上記主軸の回転で上記補助スイッチの接点を動作させるようにしたことを特徴とする請求項１１記載の三位置開閉器操作機構。
【発明の詳細な説明】
【技術分野】
【０００１】
この発明は、断路器と接地開閉器のシャッター機能を一つのシャッターに集約した三位置開閉器操作機構に関するものである。
【背景技術】
【０００２】
一般に三位置開閉器操作機構は、断路操作と接地開閉操作を行う２つの操作口を有し、それぞれに電気的もしくは機械的インターロックを有するシャッターが配設されている。
このような操作機構では、例えば、特許文献１に示されるように、シャッターや固定するための部品がそれぞれに必要であった。
【０００３】
【特許文献１】特開２００２−２９８７０７号公報
【発明の開示】
【発明が解決しようとする課題】
【０００４】
従来の三位置開閉器操作機構のシャッターは、２つに分離されていて、部品点数を削減できずにいた。
この発明は、上記のような問題を解決するものであり、三位置開閉器操作機構において、２つのシャッターを一つに集約し、部品点数の削減、シャッター操作の簡素化を目的とするものである。
【課題を解決するための手段】
【０００５】
この発明に係わる三位置開閉器操作機構は、本体に保持された回転軸、及び、断路器操作部と接地開閉器操作部の両方を覆うような形状を有するシャッター板と、上記シャッター板に形成され上記回転軸に固定された取付部とを有するシャッターを備え、上記断路器操作部を露出させるときは、上記回転軸を一方向に回転操作して上記シャッターを一方向に回転させ、上記接地開閉器操作部を露出させるときは、上記回転軸を他方向に回転操作して上記シャッターを他方向に回転させるように構成したものである。
【０００６】
又、この発明に係わる三位置開閉器操作機構において、上記シャッターは、主シャッターに補助シャッターが取り付けられ、上記シャッターの覆う面積を拡大するように上記補助シャッターがばねで押圧されて上記主シャッターから張り出しており、上記シャッターが回転するときに、上記補助シャッターが上記ばねに抗して本体に押されて引き込み、上記シャッターの覆う面積を縮小するように構成したものである。
【０００７】
さらに、この発明に係わる三位置開閉器操作機構において、上記シャッターには、これと係合する機械的インターロックを設け、上記機械的インターロックは、断路器入位置では上記シャッターが上記接地開閉器操作部を開かなく、接地開閉器入位置では上記シャッターが上記断路器操作部を開かないように構成したものである。
【発明の効果】
【０００８】
この発明の三位置開閉器操作機構によれば、断路器操作部と接地開閉器操作部の２つのシャッターの機能を一つに集約できるため、部品点数を削減でき、シャッターの操作箇所も１ヶ所に集約できるため、操作性が向上する。
【０００９】
又、この発明の三位置開閉器操作機構によれば、シャッターは、主シャッターに補助シャッターが取り付けられ、シャッターの覆う面積を拡大するように補助シャッターがばねで押圧されて主シャッターから張り出しており、シャッターが回転するときに、補助シャッターがばねに抗して本体に押されて引き込み、シャッターの覆う面積を縮小するように構成したので、シャッターを回転させたときの回転先に本体のパネルやフレームなどが存在する場合でも、本体に押圧されて補助シャッターが引き込まれることにより、規定の角度までシャッターを回転させることができる。
【００１０】
さらに、この発明の三位置開閉器操作機構によれば、断路器入位置、接地開閉器入位置で、シャッターに機械的インターロックを構築することで、三位置開閉器操作機構の誤操作を防止し、信頼性を向上させることができる。
【発明を実施するための最良の形態】
【００１１】
実施の形態１．
図1は、この発明の実施の形態１による三位置開閉器操作機構を示す正面図である。図２は図１で用いられる部品であるシャッターを示す正面図である。図３は図２のＡ−Ａ線の拡大断面図である。図４は図１の部分斜視図である。実施の形態１において、シャッター１は、非磁性の金属板、例えばアルミニウムやステンレスのシャッター板１１で形成され、その一端のＵの字部を折り曲げて四角形の取付孔を形成した取付部２がカムスイッチ３の矩形回転軸４に固定され、その矩形回転軸４を時計方向及び反時計方向に回転操作させることにより、シャッター１をその回転軸４を中心に時計方向及び反時計方向に回転させることができる。シャッター板１１に対してカムスイッチ３の矩形回転軸４は垂直である。シャッター１のシャッター板１１は、断路器又は接地開閉器の開閉操作を行わない場合、断路器操作部９および接地開閉器操作部１０を隠してカバーするように配設されている。なお、シャッター１のシャッター板１１の一端のＵの字部に取付部２を設けたのは、シャッター板１１の荷重中心に近づかせて、バランス良くし、かつ、ねじの弛みを防止するためである。
【００１２】
カムスイッチ３は矩形回転軸４の回転に応じて内部の接点を開閉し、その接点出力を取り出させることができる。そのカムスイッチ３、断路器用インターロックコイル５ａ、接地開閉器用インターロックコイル５ｂ、及び、それらのコイル５ａ，５ｂの励磁でそれぞれ駆動されるプランジャー６ａ、６ｂが、すべて固定板７に配設されている。固定板７は三位置開閉器操作機構８の一部でそのフレーム等に取付けられて固定されている。
【００１３】
断路器用インターロックコイル５ａが電気的に付勢されると、そのプランジャー６ａは吸引され、固定板７に対して内方向に引き込まれる。又、接地開閉器用インターロックコイル５ｂが電気的に付勢されると、そのプランジャー６ｂは吸引され、固定板７に対して内方向に引き込まれる。
【００１４】
電気的インターロックが動作していない場合は、断路器用インターロックコイル５ａ又は接地開閉器用インターロックコイル５ｂが励磁され、プランジャー６ａ又は６ｂが吸引されるため、シャッター１は規定の角度まで回転できる。しかし、電気的インターロックが動作している場合は、断路器用インターロックコイル５ａ又は接地開閉器用インターロックコイル５ｂが励磁されず、プランジャー６ａ又は６ｂは吸引されない。そのため、シャッター１のシャッター板１１がプランジャー６ａ又は６ｂと干渉し、シャッター１は規定の角度までは回転できない。なお、シャッター１のシャッター板１１を、非磁性の金属板で形成することにより、断路器用インターロックコイル５ａや接地開閉器用インターロックコイル５ｂの磁束の影響を受け難いようにしている。
【００１５】
図５はシャッター操作ハンドル５１を示す斜視図である。シャッター操作ハンドル５１は、カムスイッチ３の矩形回転軸４に挿入する溝５２を有する駆動棒５３と、それを回転させる操作棒５４によって構成されている。断路器開閉操作又は接地開閉器開閉操作のために、シャッター操作ハンドル５１の溝５２をカムスイッチ３の矩形回転軸４に挿入して、操作棒５４を軽く回転させることで、その断路器操作部９又は接地開閉器操作部１０を露出して操作部を開くことができる。
【００１６】
又、図６は図５とは異なる形状のシャッター操作ハンドル５５を示す斜視図である。シャッター操作ハンドル５５は、略長方形の操作腕５６と、操作腕５６に垂直となる取付部５７と、操作腕５６、取付部５７に対してともに垂直になる押え部５８とを有している。シャッター操作ハンドル５５は、図４で、シャッター１を矩形回転軸４に取り付けるボルト１２に、取付部５７を取付け、ナット締めすることにより、カムスイッチ３の矩形回転軸４及びシャッター１の取付部２とともに締結できる構造となっている。締結した状態で操作腕５６を回転させることにより、シャッター１を回転させることができる。
【００１７】
図７はシャッター１の回転と共に回転する矩形回転軸４によるカムスイッチ３の動作角度を示す説明図である。図１において、接地開閉器を操作する場合は、図５又は図６のシャッター操作ハンドルで、カムスイッチ３の回転軸４を時計方向に回転させてシャッター１を時計方向に回転させる。図７で図１の状態に対応する回転軸４の回転角度は０°であり、この回転角度からシャッター１を時計方向に回転させていくと、回転軸４の回転角度が例えば角度１２°〜２４°でカムスイッチ３の接点が閉じて接地開閉器用インターロックコイル５ｂを付勢する。するとそのプランジャー６ｂが引き込まれるので、シャッター１は電気的インターロックであるプランジャー６ｂの干渉が解かれ、引き続き時計方向に回転できる。回転軸４の回転角度が例えば角度３２°〜４５°で、カムスイッチ３はシャッター１の開を知らせ得る接点を動作させる。この状態で、接地開閉器操作部１０の操作部が完全に露出されて、接地開閉器の開閉を操作することができるようになる。このとき、シャッター１の開を知らせ得る接点の動作出力を利用すれば、この状態を表示できる。
【００１８】
接地開閉器の開閉を操作した後、回転軸４を反時計方向に戻し、回転角度が１２°より小さくなると、カムスイッチ３の接点が開いて接点接地開閉器用インターロックコイル５ｂが消勢され、プランジャー６ｂが固定板７から突出して電気的インターロックがかかり、さらに、回転軸４を反時計方向に戻すことにより、シャッター１は図１に示す初期状態に戻る。なお、接地開閉器入状態では、たとえ、回転軸４を反時計方向に回転させ、シャッター１を反時計方向に回転させ、断路器操作部９を露出させようとしても、（図７の反時計方向回転）角度１２°〜２４°で電気的インターロックは解けず、その回転は阻止される。電気的インターロックは、実施の形態３で説明する補助スイッチ３６の接点出力で解けないようにされている。
【００１９】
次に断路器を操作する場合は、シャッター操作ハンドルで、カムスイッチ３の回転軸４を反時計方向に回転させてシャッター１を反時計方向に回転させる。図７で図１の状態に対応する回転軸４の回転角度は０°であり、この回転角度からシャッター１を反時計方向に回転させていくと、回転軸４の回転角度が例えば角度１２°〜２４°でカムスイッチ３の接点が閉じて断路器用インターロックコイル５ａを付勢する。するとそのプランジャー６ａが引き込まれるので、シャッター１は電気的インターロックであるプランジャー６ａの干渉が解かれ、引き続き反時計方向に回転できる。回転軸４の回転角度が例えば角度３２°〜４５°で、カムスイッチ３はシャッター１の開を知らせ得る接点を動作させる。この状態で、断路器操作部９の操作部が完全に露出されて、断路器の開閉を操作することができるようになる。このとき、シャッター１の開を知らせ得る接点の動作出力を利用すれば、この状態を表示できる。
【００２０】
断路器の開閉を操作した後、回転軸４を時計方向に戻し、回転角度が１２°より小さくなると、カムスイッチ３の接点が開いて断路器用インターロックコイル５ａが消勢され、プランジャー６ａが固定板７から突出して電気的インターロックがかかり、さらに、回転軸４を時計方向に戻すことにより、シャッター１は図１に示す初期状態に戻る。なお、断路器入状態では、たとえ、回転軸４を時計方向に回転させ、シャッター１を時計方向に回転させ、接地開閉器操作部１０を露出させようとしても、（図７の時計方向回転）角度１２°〜２４°で電気的インターロックは解けず、その回転は阻止される。電気的インターロックは、実施の形態３で説明する補助スイッチ３６の接点出力で解けないようにされている。
【００２１】
シャッター板１１には、断路器用インターロックコイル５ａおよび接地開閉器用インターロックコイル５ｂのプランジャー６ａ、６ｂと係合するために、図２と図３に示すように、シャッター板１１の端部を折曲げて凸部を形成してプランジャー係合部１３としている。
また、プランジャー係合部は図８に示すように、シャッター１とは別の当て板１５を、プランジャー係合部１４の裏面に溶接するなどして凸部を形成することによっても同じ機能を果たすことができる。図８の（ａ）はシャッターの正面図、その（ｂ）は矢印方向から見たプランジャー係合部１４の側面図である。
【００２２】
実施の形態１における三位置開閉器操作機構８では、シャッター１が一つの部品で断路器操作部と接地開閉器操作部を隠す構造であるため、部品点数が削減できる。また、シャッター１を操作する回転軸は一箇所であり、その回転軸を一方向及び他方向に回転させることにより断路器及び接地開閉器をともに露出させ操作できるため、操作が簡素化できる。
【００２３】
実施の形態２．
図９は実施の形態２におけるシャッターを示し、その（ａ）は正面図、その（ｂ）は裏面図である。同図において、シャッター１は、主シャッター２０に補助シャッター１６を取付けている。また、図１０は実施の形態２における主シャッター２０の部品図で、その（ａ）は正面図、その（ｂ）は矢印方向から見た部分側面図である。図１１は補助シャッター１６の部品図で、その（ａ）は正面図、その（ｂ）は矢印方向から見た部分側面図である。
【００２４】
図１０において、主シャッター２０は、シャッター板１１のコーナー部に皿ネジ用の取付孔１７を穿設し、シャッター板１１の端部（面取り部）にシャッター板１１の表平面と垂直になるよう折り曲げて補助シャッターガイド１８を形成し、シャッター板１１の表平面と垂直になるよう折り曲げてばね取付部１９を形成している。図１１において、補助シャッター１６は、略三角形の補助シャッター板２１と、主シャッター２０の取付孔１７に対応して補助シャッター板２１に穿設された取付孔２２と、この取付孔２２と同軸をなしているスリット２３と、補助シャッター板２１の表平面に垂直になるよう折り曲げて作成され中央にばね取付孔２４を有するばね取付部２５とを有している。
【００２５】
図９は図１０に示す主シャッター２０に、図１１に示す補助シャッター１６を取り付けたシャッター１を示す図である。補助シャッター１６は主シャッター２０に、主シャッター２０の取付孔１７と同軸になるよう配設されたピン２６で回転し得るように保持されている。ピン２６は皿ネジ２７で固定されている。主シャッター２０の補助シャッターガイド１８が補助シャッタ１６のスリット２３に嵌まり、補助シャッタ１６の回転を案内し規制する。補助シャッター１６を所定の位置に保持するために、主シャッター２０のばね取付部１９と補助シャッター１６のばね取付部２５の間にばね２８が配設され、図９（ａ）で示すように、シャッターの覆う面積を拡大するように補助シャッター１６がばね２８で押圧されて主シャッター２０から張り出している。なお、主シャッター２０の補助シャッターガイド１８と補助シャッタ１６のスリット２３とで、回転規制ガイドを構成する。
【００２６】
補助シャッター１６は、ばね２８によって、通常はスリット２３の終端が補助シャッターガイド１８に当たる位置で保持されている。シャッター１を反時計方向に回転した時、シャッター１の回転先に本体の筐体やフレームなどが存在するときは、補助シャッター１６がばね２８に抗して本体に押されて、ばね２８が収縮して補助シャッター１６が主シャッター２０の裏側に収納される。その結果、シャッター１が回転するときに、補助シャッター１６がばね２８に抗して本体に押されて引き込み、シャッター１の覆う面積を縮小することになる。
【００２７】
図１２は、シャッター１の前面にフェースプレート２９が取付けられた三位置開閉器操作機構を示す正面図である。フェースプレート２９には、断路器操作部９を露出させるために、回転軸４を反時計方向に回転操作してシャッター１を反時計方向に回転させて、シャッター１が開き終わったときに断路器操作部９を操作し得る操作口３０を設けている。又、フェースプレート２９には、接地開閉器操作部１０を露出させるために、回転軸４を時計方向に回転操作してシャッター１を時計方向に回転させて、シャッター１が開き終わったときに接地開閉器操作部１０を操作し得る操作口３１を設けている。
【００２８】
図１２では、断路器を操作するために、シャッター１を反回転方向に約３０度回転させており、断路器の操作口３０を開く動作の途中の状態を表している。三位置開閉器操作機構８の前面に取付けられたフェースプレート２９に穿設された、断路器の操作口３０および接地開閉器の操作口３１から操作ハンドル（図示せず）を挿入しようとする際、カムスイッチ３の回転軸４の回転角度がシャッター１の開状態を示す角度に達しない場合、（図１２の状態）、シャッター１が操作口３０を遮る形となり、操作ハンドルと干渉して挿入できない構造に形成している。つまり、カムスイッチ３の動作角度で示すと、回転軸４の回転角度が「シャッター開」の状態（例えば３２°〜４５°）にならないと、操作ハンドルが挿入できない、すなわち、操作ができない。これは接地開閉器の操作口３１についても同様である。このようなインターロックを設けることで、信頼性が向上できる。
【００２９】
また、シャッター１のすぐ上部に、つまりシャッター１を反時計方向に回転させたときの回転先に本体のパネルやフレームなどが存在する場合、図１２におけるシャッター１の右側がフェースプレート２９からはみ出て干渉し、規定角度までシャッター１が回転できない。このようなとき、本体に押圧されて補助シャッター１６が引き込まれることにより、規定の角度までシャッター１を回転させても、補助シャッター１６がシャッター裏側に収納され、シャッターの動作を妨げることはない。
【００３０】
実施の形態３．
図１３は、三位置開閉器操作機構に用いる補助スイッチレバーを示す斜視図である。図１３のように、補助スイッチレバー３２は、図２のシャッター１の補助スイッチレバー係合部３３と係合する係合レバー３４ａ，３４ｂと、三位置開閉器操作機構８の状態位置を表示する表示部３５と、三位置開閉器操作機構８の主軸（接地開閉器操作口３１と同軸に配設）と補助スイッチ３６（図１４参照）を連結する連結部３７とを有している。補助スイッチレバー３２は、シャッター１の補助スイッチレバー係合部３３と係合して、機械的インターロックを構成する。
【００３１】
図１４は、実施の形態３における三位置開閉器操作機構８に取付けられたシャッター１および補助スイッチレバー３２を示している。同図では三位置開閉器操作機構８は「断路器入」状態である。この状態では、シャッター１に設けられた補助スイッチレバー係合部３３は、補助スイッチレバー３２に設けられた係合レバー３４ｂと当接係合している。この状態では、シャッター１は時計方向に回転できない、すなわち接地開閉器操作部１０を開く動作ができない。これより、「断路器入」位置ではシャッター１が接地開閉器操作部１０を開かない機械的インターロックが構成されている。
【００３２】
図１５は、三位置開閉器操作機構８が「断路器切／接地開閉器切」状態を示している。この状態では、断路器も接地開閉器も操作する可能性があるため、補助スイッチレバー３２の係合レバー３４ａ、３４ｂはシャッター１の補助スイッチレバー係合部３３の回転を妨げておらず、シャッター１は両方向に回転できる。
【００３３】
図１６は、三位置開閉器操作機構８が「接地開閉器入（接地）」状態を示している。この状態では、シャッター１に設けられた補助スイッチレバー係合部３３は、補助スイッチレバー３２に設けられた係合レバー３４ａと当接係合している。この状態では、シャッター１は反時計方向に回転できない。すなわち断路器操作部９を開く動作ができない。これより、接地位置ではシャッター１が断路器操作部９を開かない機械的インターロックが構成されている。
【００３４】
図１２を参照して、フェイスプレート２９には覗き窓４０が形成されている。図１４〜図１６ではフェイスプレート２９を取り除いて示しているが、フェイスプレート２９を取り付けると、覗き窓４０の位置は、図１４〜図１６の破線で示す位置で、それぞれ補助スイッチレバー３２の表示部３５の異なる位置である。そのため、その異なる位置にそれぞれ目印となる表示を施しておけば、図１４の「断路器・入」、図１５の「断路器／接地開閉器切」、図１６の「接地開閉器 入」の場合に、覗き窓４０から表示部３５を観察することにより、三位置開閉器操作機構８の状態が確認できる。
【００３５】
図１７は補助スイッチレバー３２における三位置開閉器操作機構８の主軸３９と補助スイッチ３６を連結する連結部３７を抜き出して示す説明図である。その（ａ）は図１４に対応し「断路器入」を示し、その（ｂ）は図１５に対応し「断路器切／接地開閉器切」を示し、その（ｃ）は図１６に対応し「接地開閉器入」を示している。三位置開閉器操作機構８における三位置開閉器の主軸３９は、断路器操作部９を操作しても、それと連結されて回転し、接地開閉器操作部１０を操作しても、それと連結されて回転する。なお、当然ながら、断路器操作部９を操作して、接地開閉器操作部１０を操作させることはできなく、接地開閉器操作部１０を操作して、断路器操作部９を操作させることはできない。
【００３６】
図１８は補助スイッチ３６の動作角度を示す説明図である。補助スイッチ３６の矩形回転軸４１に固定された操作子４２は、補助スイッチレバー３２の連結部３７に連結され、三位置開閉器操作機構８の主軸３９の状態変化と共に、角度を変える。補助スイッチ３６には、内部に接点を設けており、その接点出力を外部に取り出すことができる。補助スイッチ３６に対する操作子４２の角度が例えば８０°〜９０°で断路器入に対応した接点を動作させ、操作子４２の角度が例えば４０°〜５０°で断路器切及び接地開閉器切に対応した接点を動作させ、操作子４２の角度が例えば０°〜１０°で接地開閉器入に対応した接点を動作させものである。
【００３７】
このように、断路器入位置、接地開閉器入位置で、シャッターに機械的インターロックを構築することで、三位置開閉器操作機構の誤操作を防止し、信頼性が向上する。
【図面の簡単な説明】
【００３８】
【図１】この発明の実施の形態１における三位置開閉器操作機構を示す正面図である。
【図２】図１で用いられる部品であるシャッターを示す正面図である。
【図３】図２のＡ−Ａ線の拡大断面図である。
【図４】図１の部分斜視図である。
【図５】シャッター操作ハンドルを示す斜視図である。
【図６】図５とは異なる形状のシャッター操作ハンドルを示す斜視図である。
【図７】シャッターの回転と共に回転する矩形回転軸によるカムスイッチの動作角度を示す説明図である。
【図８】図１で用いられる他のシャッターを示し、その（ａ）はシャッターの正面図、その（ｂ）は矢印方向から見たプランジャー係合部の側面図である。
【図９】実施の形態２におけるシャッターを示し、その（ａ）は正面図、その（ｂ）は裏面図である。
【図１０】図９の主シャッターの部品図で、その（ａ）は正面図、その（ｂ）は矢印方向から見た部分側面図である。
【図１１】図９の補助シャッターの部品図で、その（ａ）は正面図、その（ｂ）は矢印方向から見た部分側面図である。
【図１２】シャッターの前面にフェースプレートが取付けられた三位置開閉器操作機構を示す正面図である。
【図１３】実施の形態３の三位置開閉器操作機構に用いる補助スイッチレバーを示す斜視図である。
【図１４】実施の形態３における三位置開閉器操作機構に取付けられたシャッターおよび補助スイッチレバーを示し、「断路器入」状態を示す正面図である。
【図１５】実施の形態３におけるシャッターおよび補助スイッチレバーを示し、「断路器／接地開閉器切」状態を示す正面図である。
【図１６】実施の形態３におけるシャッターおよび補助スイッチレバーを示し、「接地開閉器入（接地）」状態を示す正面図である。
【図１７】補助スイッチレバーにおける三位置開閉器操作機構の主軸と補助スイッチを連結する連結部を抜き出して示す説明図である。
【図１８】補助スイッチの動作角度を示す説明図である。
【符号の説明】
【００３９】
１  シャッター                          ２  取付部
３  カムスイッチ                        ４  矩形回転軸
５ａ  断路器用インターロックコイル
５ｂ  接地開閉器用インターロックコイル
６ａ  プランジャー                      ６ｂ  プランジャー
７  固定板                              ８  三位置開閉器操作機構
９断路器操作部                        １０  接地開閉器操作部
１１  シャッター板                      １２  ボルト
１３  プランジャー係合部                １４  プランジャー係合部
１５  当て板                            １６  補助シャッター
１７  取付孔                            １８  補助シャッターガイド
１９  ばね取付部                        ２０  主シャッター
２１  補助シャッター板                  ２２  取付孔
２３  スリット                          ２４  ばね取付孔
２５  ばね取付部                        ２６  ピン
２７  皿ネジ                            ２８  ばね
２９  フェースプレート                  ３０  操作口
３１  操作口                            ３２  補助スイッチレバー
３３  補助スイッチレバー係合部          ３４ａ  係合レバー
３４ｂ  係合レバー                      ３５  表示部
３６  補助スイッチ                      ３７  連結部
３９  主軸                              ４０  覗き窓
４１  矩形回転軸                        ４２  操作子
５１  シャッター操作ハンドル            ５２  溝
５３  駆動棒                            ５４  操作棒
５５  シャッター操作ハンドル            ５６  操作腕
５７  取付部                            ５８  押え部
【図１】
2006228673.tif 000003
【図２】
2006228673.tif 000004
【図３】
2006228673.tif 000005
【図４】
2006228673.tif 000006
【図５】
2006228673.tif 000007
【図６】
2006228673.tif 000008
【図７】
2006228673.tif 000009
【図８】
2006228673.tif 000010
【図９】
2006228673.tif 000011
【図１０】
2006228673.tif 000012
【図１１】
2006228673.tif 000013
【図１２】
2006228673.tif 000014
【図１３】
2006228673.tif 000015
【図１４】
2006228673.tif 000016
【図１５】
2006228673.tif 000017
【図１６】
2006228673.tif 000018
【図１７】
2006228673.tif 000019
【図１８】
2006228673.tif 000020